(57)【要約】      （修正有）【課題】一般家庭に簡単に配置することができ、詐欺や迷惑電話を確実に防止する。【解決手段】接続した電話機への外線からの着信要求に対して着信許可、受信拒否、及び着信録音の各処理を切り換える接続・切断制御手段１１０と、電話番号を書き換え可能に格納する番号格納手段１２０と、予め定めたパスワードを格納するパスワード格納手段１３０と、外線からの着信の呼出音を計数する計数手段１４０と、呼出音が所定の回数で切断された場合、発信された相手の電話番号を番号格納手段１２０に格納して電話を切断する番号書込制御手段１５０と、着信した相手の電話番号が番号格納手段１２０に格納した電話番号と一致したとき、着信した相手にパスワード入力を要求するパスワード要求手段１６０と、入力されたパスワードがパスワード格納手段１６０に格納されたものと一致したとき、接続・切断制御手段１１０に着信を許可するパスワード照合手段１７０とを備える。【選択図】図２
2020145569.tif 000002
【特許請求の範囲】
【請求項１】
接続した電話機への外線からの着信要求に対して着信許可、受信拒否、及び着信録音の各処理を切り換える接続・切断制御手段と、
電話番号を書き換え可能に格納する番号格納手段と、
予め定めたパスワードを格納するパスワード格納手段と、
外線からの着信の呼出音を計数する計数手段と、
前記呼出音が所定の回数で切断された場合、発信された相手の電話番号を前記番号格納手段に格納して電話を切断する番号書込制御手段と、
前記着信した相手の電話番号が前記番号格納手段に格納した電話番号と一致したとき、前記着信した相手にパスワードの入力を要求するパスワード要求手段と、
相手から入力されたパスワードが前記パスワード格納手段に格納されたものと一致したとき、前記接続・切断制御手段に前記着信許可の処理を行わせるパスワード照合手段と、
を備えることを特徴とする着信制御装置。
【請求項２】
前記着信した相手からの前記呼出音が所定の回数を超えるとき、前記接続・切断制御手段に留守番録音の処理をさせる留守番録音制御手段を備えることを特徴とする請求項１に記載の着信制御装置。
【請求項３】
前記パスワード要求手段は、前記パスワードの要求を所定回数だけ行いパスワードの入力がない場合、当該電話番号の登録を消去することを特徴とする請求項１に記載の着信制御装置。
【請求項４】
前記番号格納手段は複数の電話番号を変更可能に格納し、前記パスワード格納手段は、複数のパスワードを変更可能に格納していることを特徴とする請求項１に記載の着信制御装置。
【請求項５】
外部からの電話線と電話機との間に配置されることを特徴とする請求項１に記載の着信制御装置。
【請求項６】
電話機に内蔵されることを特徴とする請求項１に記載の着信制御装置。
【発明の詳細な説明】
【技術分野】
【０００１】
本発明は、不審な電話の着信を防止することができる着信制御装置に関する。
【背景技術】
【０００２】
近年、詐欺電話による被害が増加している。これに対応して、詐欺や不審者からの電話着信を予防するため、従来様々な装置が提案されている。
【０００３】
特許文献１には、ネットワークサーバにおけるクライアントユーザ認証装置であって、クライアントユーザの電話番号と前記ユーザを認証するための暗証番号を組みにした認証テーブルと、着信時に送られてくる発信者アドレスと発信者サブアドレスを記憶する認証番号記憶手段と、前記認証番号記憶手段に記憶したデータと前記認証テーブルに存在する電話番号と暗証番号の組みが一致した場合にのみ接続を許可する接続判定手段とを有するものが記載されている。これにより、回線の接続前にユーザの認証を行うことによって安全性が高くかつ認証に必要な時間を省くことができる。
【０００４】
また、特許文献２には、着信要求時にパスワードの投入を発信者に要求し、着信加入者が事前に登録していたパスワードと発信者が投入したパスワードを照合し、一致しているときに着信制御を行う機能を持ったものにおいて、前記交換機内に、加入者毎に複数のパスワードと論理番号を管理するパスワード情報テーブルと、該パスワード情報テーブルを参照してパスワード及び論理番号の管理を行うパスワード管理部を備え、ある端末への着信要求時に、パスワード管理部は該当加入者のパスワード情報テーブルを検索し、投入されたパスワードが登録されている何れかのパスワードと同じであれば、前記着信要求のあった着信端末への着信を行う交換機が記載されている。これにより、着信接続システムに関し、迷惑電話の被害を受けている加入者に対して電話番号の変更という措置を取らなくても、パスワード規制により迷惑電話の着信を規制することができる。
【先行技術文献】
【特許文献】
【０００５】
【特許文献１】特開２０００−１３７６８０号公報
【特許文献２】特開平１１−１６４０１７号公報
【発明の概要】
【発明が解決しようとする課題】
【０００６】
しかし、特許文献１、２を含む従来の技術は、ネットワークサーバや交換機に様々な機能を付加するものであり、電話機のユーザが手軽に使用することができない。
【０００７】
近年、詐欺や迷惑電話の着信を防止するため、着信後に録音する旨の音声を再生したり、登録されている電話番号以外の着信については留守番電話機能を使用したりする電話機が提供されている。
【０００８】
しかし、このような機能を有する電話機を使用しても、確実に詐欺や迷惑電話を防止するには至らない。
【０００９】
本発明は上述した課題に鑑みてなされたものであり、一般家庭に簡単に配置することができ、詐欺や迷惑電話を確実に防止することができる着信制御装置を提供することを課題とする。
【課題を解決するための手段】
【００１０】
前記課題を解決する請求項１に記載の発明は、接続した電話機への外線からの着信要求に対して着信許可、受信拒否、及び着信録音の各処理を切り換える接続・切断制御手段と、電話番号を書き換え可能に格納する番号格納手段と、予め定めたパスワードを格納するパスワード格納手段と、外線からの着信の呼出音を計数する計数手段と、前記呼出音が所定の回数で切断された場合、発信された相手の電話番号を前記番号格納手段に格納して電話を切断する番号書込制御手段と、前記着信した相手の電話番号が前記番号格納手段に格納した電話番号と一致したとき、前記着信した相手にパスワードの入力を要求するパスワード要求手段と、相手から入力されたパスワードが前記パスワード格納手段に格納されたものと一致したとき、前記接続・切断制御手段に前記着信許可の処理を行わせるパスワード照合手段と、を備えることを特徴とする着信制御装置である。
【００１１】
本発明によれば、外線から着信したとき、外線の電話番号が予め登録されている場合、着信制御装置は、パスワードを要求し、正しいパスワードを受信したとき、外線を電話に接続する。一方、外線の電話番号が登録されていないとき、呼出音が所定の回数だけ発生して切断された場合、このときの電話番号を登録する。所定の回数以外の場合は留守番電話で処理する。そして、所定の回数だけ呼出音を発生して切断した電話番号から再度電話を受信した場合、当該電話番号は登録されているから、パスワードを要求する処理を行う。これにより、登録されていない電話番号や、パスワードが入力されない詐欺や迷惑電話は留守番電話で処理され、被害を防止することができる。
【００１２】
また、登録されていない電話番号からの着信も、所定の回数だけ呼出音を鳴らして切断されると、当該電話番号が登録される。このため、当該電話番号から、再度電話が着信すると、パスワードを要求し、パスワードが入力されることで接続される。このため、呼出オンの設定回数を知っていれば登録がない電話機からでも電話を着信させることができる。
【００１３】
同じく請求項２に記載の発明は、請求項１に記載の着信制御装置において、前記着信した相手からの前記呼出音が所定の回数を超えるとき、前記接続・切断制御手段に留守番録音の処理をさせる留守番録音制御手段を備えることを特徴とする。
【００１４】
本発明によれば、着信した相手からの呼出音が所定の回数を超えるとき、前記接続・切断制御手段に留守番録音の処理をさせる。このため、登録のない電話番号からの詐欺や迷惑電話を留守番電話で処理することができる。
【００１５】
同じく請求項３に記載の発明は、請求項１に記載の着信制御装置において、前記パスワード要求手段は、前記パスワードの要求を所定回数だけ行いパスワードの入力がない場合、当該電話番号の登録を消去することを特徴とする。
【００１６】
本発明によれば、パスワード要求手段は、パスワードの要求を所定回数だけ行いパスワードの入力がない場合、電話番号の登録を消去する。このため、偶然再度の電話で接続された着信電話の番号が蓄積されることがない。
【００１７】
同じく請求項４に記載の発明は、請求項１に記載の着信制御装置において、前記番号格納手段は複数の電話番号を変更可能に格納し、前記パスワード格納手段は、複数のパスワードを変更可能に格納していることを特徴とする。
【００１８】
本発明によれば、番号格納手段は複数の電話番号を変更可能に格納し、パスワード格納手段は、複数のパスワードを変更可能に格納する。このため、複数の電場番号及びパスワードを柔軟に管理することができる。
【００１９】
同じく請求項５に記載の発明は、請求項１に記載の着信制御装置において、外部からの電話線と電話機との間に配置されることを特徴とする。
【００２０】
本発明によれば、着信制御装置は、外部からの電話線と電話機との間に配置される。このため、既存の電話機に接続して詐欺や迷惑電話を防止することができる。
【００２１】
同じく請求項６に記載の発明は、請求項１に記載の着信制御装置において、電話機に内蔵されることを特徴とする。
【００２２】
本発明によれば、着信制御装置は、電話機に内蔵されている。このため、着信制御装置として別の装置を配置する必要がなく、電源や接続のためのケーブルを配置する必要がない。
【発明の効果】
【００２３】
本発明に係る着信制御装置によれば、一般家庭に簡単に配置することができ、詐欺や迷惑電話を確実に防止することができる。
【００２４】
すなわち、請求項１に記載の着信制御装置によれば、外線から着信したとき、外線の電話番号が予め登録されている場合、着信制御装置は、パスワードを要求し、正しいパスワードを受信したとき、外線を電話に接続する。一方、外線の電話番号が登録されていないとき、呼出音が所定の回数だけ発生して切断された場合、このときの電話番号を登録する。所定の回数以外の場合は留守番電話で処理する。そして、所定の回数だけ呼出音を発生して切断した電話番号から再度電話を受信した場合、当該電話番号は登録されているから、パスワードを要求する処理を行う。これにより、登録されていない電話番号や、パスワードが入力されない詐欺や迷惑電話は留守番電話で処理され、被害を防止することができる。
【００２５】
また、登録されていない電話番号からの着信も、所定の回数だけ呼出音を鳴らして切断されると、当該電話番号が登録される。このため、当該電話番号から、再度電話が着信すると、パスワードを要求し、パスワードが入力されることで接続される。このため、呼出オンの設定回数を知っていれば登録がない電話機からでも電話を着信させることができる。
【００２６】
請求項２に記載の着信制御装置によれば、着信した相手からの呼出音が所定の回数を超えるとき、前記接続・切断制御手段に留守番録音の処理をさせる。このため、登録のない電話番号からの詐欺や迷惑電話を留守番電話で処理することができる。
【００２７】
請求項３に記載の着信制御装置によれば、パスワード要求手段は、パスワードの要求を所定回数だけ行いパスワードの入力がない場合、電話番号の登録を消去する。このため、偶然再度の電話で接続された着信電話の番号が蓄積されることがない。
【００２８】
請求項４に記載の着信制御装置によれば、番号格納手段は複数の電話番号を変更可能に格納し、パスワード格納手段は、複数のパスワードを変更可能に格納する。このため、複数の電場番号及びパスワードを柔軟に管理することができる。
【００２９】
請求項５に記載の着信制御装置によれば、着信制御装置は、外部からの電話線と電話機との間に配置される。このため、既存の電話機に接続して詐欺や迷惑電話を防止することができる。
【００３０】
請求項６に記載の着信制御装置によれば、着信制御装置は、電話機に内蔵されている。このため、着信制御装置として別の装置を配置する必要がなく、電源や接続のためのケーブルを配置する必要がない。
【図面の簡単な説明】
【００３１】
【図１】本発明の実施形態に係る着信制御装置の配置状態を示す図である。
【図２】同着信制御装置の構成を示すブロック図である。
【図３】同着信制御装置の動作を示すフローチャートである。
【発明を実施するための形態】
【００３２】
本発明を実施するための形態に係る着信制御装置について説明する。図１は本発明の実施形態に係る着信制御装置の配置状態を示す図である。
【００３３】
着信制御装置である電話アダプター１００は、家庭用の固定電話である電話機１０に接続されている。また、電話機１０は、外線、すなわち電話機１０が契約している電話会社の交換機２０に接続されている。交換機２０は、固定電話回線網３０を介して固定電話４０、４０、…、４０からの接続、及び、携帯電話回線網５０を介して携帯電話６０、６０、…、６０からの接続が可能である。
【００３４】
すなわち、電話アダプター１００は、電話機１０のモジュラージャックと、電話機１０が設置された部屋の壁部に設置された電話コンセントに接続される。
【００３５】
電話アダプター１００は、接続した電話機１０への外線からの着信要求に対して着信許可、受信拒否、及び着信録音の各処理を切り換えることができる。すなわち、電話アダプター１００は、信頼できる相手からの着信を許可し、信頼できない相手からの電話を切断する。また、電話アダプター１００は必要に応じて留守番電話として相手のメッセージを録音する。
【００３６】
以下電話アダプター１００の構成について説明する。図２は同着信制御装置の構成を示すブロック図である。
【００３７】
電話アダプター１００は、接続・切断制御手段である電話接続・切断制御部１１０と、番号格納手段である番号格納部１２０と、パスワード格納手段であるパスワード格納部１３０と、計数手段である呼出音信号計数部１４０と、番号書込制御手段である番号書込制御部１５０と、パスワード要求手段であるパスワード要求部１６０と、パスワード照合手段１７０と、メッセージ格納部１８０とを備える。
【００３８】
電話アダプター１００は制御装置であるＣＰＵ(Central  Processing  Unit)、主記憶装置であるＲＯＭ（Read  Only  Memory）、ＲＡＭ（Random  Access  Memory）、輔助記憶装置である半導体メモリ等を備えたマイクロコンピュータで構成することができ、ＣＰＵでＲＯＭに格納されたプログラムを実行して各部の機能を実現する。
【００３９】
切断制御部１１０は、接続した電話機への外線からの着信要求に対して着信許可、受信拒否、及び着信録音の各処理を切り換える。切り換えは電話番号が番号格納部１２０に格納されているか及びパスワードがパスワード要求部１６０に格納されているかに基づいて行われる。
【００４０】
番号格納部１２０は、電話番号を書き換え可能に格納する。番号格納部１２０には、複数の電話番号が格納できる。番号格納部１２０には、信頼できる電話機の電話番号が格納され、この番号は番号書込制御部１５０により書き代えられる。
【００４１】
パスワード格納部１３０は、予め定めたパスワードを格納する。パスワードは例えば複数桁の数字である。パスワードは他の文字等でもよく、複数のものを書き換え可能に格納する。
【００４２】
呼出音信号計数部１４０は、着信して切断されるまでの呼出音（リングトーン）の数を数える。
【００４３】
番号書込制御部１５０は、呼出音信号計数部１４０で計数したリングトーンが所定の回数で切断された場合、発信された相手の電話番号を前記番号格納手段に格納して電話を切断する。例えば、３回、４回、５回、３回から５回等、必要に応じて回数を設定する。
【００４４】
パスワード要求部１６０は、着信した相手の電話番号が番号格納部１２０に格納した電話番号と一致したとき、前記着信した相手にパスワードの入力を要求する。これにより通話相手にパスワードの入力を促す。パスワードの入力は相手電話機のキー入力、又は音声入力によることができる。また、パスワード要求部１６０は、パスワードの要求を所定回数だけ行いパスワードの入力がない場合、番号格納部１２０における当該電話番号の登録を消去する。
【００４５】
パスワード照合手段１７０は、相手から入力されたパスワードがパスワード格納部１３０に格納されたものと一致したとき、切断制御部１１０に着信許可の処理を行わせる。
【００４６】
メッセージ格納部１８０は、切断制御部１１０が留守番電話を設定したとき、相手のメッセージを録音する。
【００４７】
以下、電話アダプター１００の動作について説明する。図３は同着信制御装置の動作を示すフローチャートである。
【００４８】
電話の着信（ステップＳＴ１）があると、切断制御部１１０は、着信した電話番号が番号格納部１２０に格納されているかを確認する（ステップＳＴ２）。
【００４９】
登録があると、切断制御部１１０は、電話を着信して、相手にパスワード要求部１６０によりパスワードの入力を促すメッセージを発する（ステップＳＴ３）。これに呼応して相手からパスワードが入力された場合（ステップＳＴ４のＹｅｓ）、入力されたパスワードがパスワード格納部１３０に格納されているかを照合する（ステップＳＴ５）。パスワードが一致した場合（ステップＳＴ６のＹｅｓ）、電話アダプター１００は、電話機１０に接続して電話機１０と相手電話との通話ができる（ステップＳＴ７）。
【００５０】
パスワードが一致しない場合、電話アダプター１００は電話機１０に接続した状態で、留守番電話として機能し、音声を出力しつつメッセージ格納部１８０に相手音声を録音する（ステップＳＴ８）。
【００５１】
パスワードが入力されない場合（ステップＳＴ４のＮｏ）、一定回数入力を促した後（ステップＳＴ９のＹｅｓ）、相手電話番号が番号格納部１２０に格納されていれば、当該番号を消去して電話の切断処理を行う（ステップＳＴ１０）。
【００５２】
ステップＳＴ２に戻り、発信者番号が番号格納部１２０に格納されていない場合（ステップＳＴ２のＮｏ）、呼出音信号計数部１４０でリングトーンを計数し、所定回数で切断されたかを判定する（ステップＳＴ１１）。所定回数、例えば３回で切断された場合（ステップＳＴ１１のＹｅｓ）、当該電話番号を番号格納部１２０に格納して、電話を切断する（ステップＳＴ１２）。
【００５３】
これにより、次に同じ電話番号からの電話は、番号格納部１２０に登録されていることから、パスワードの入力が促される。
【００５４】
一方、所定回数未満、所定回数を超えてリングトーンを計数した場合（ステップＳＴ１１のＮｏ）、電話機１０に接続した状態で、留守番電話として機能し、音声を出力しつつメッセージ格納部１８０に相手音声を録音する（ステップＳＴ８）。
【００５５】
以上のように、本実施形態に係る電話アダプター１００によれば、外線から着信したとき、外線の電話番号が予め登録されている場合、着信制御装置は、パスワードを要求し、正しいパスワードを受信したとき、外線を電話に接続する。一方、外線の電話番号が登録されていないとき、呼出音が所定の回数だけ発生して切断された場合、このときの電話番号を登録する。所定の回数以外の場合は留守番電話で処理する。
【００５６】
そして、所定の回数だけ呼出音を発生して切断した電話番号から再度電話を受信した場合、当該電話番号は登録されているから、パスワードを要求する処理を行う。これにより、登録されていない電話番号や、パスワードが入力されない詐欺や迷惑電話は留守番電話で処理され、被害を防止することができる。
【００５７】
また、登録されていない電話番号からの着信も、所定の回数だけ呼出音を鳴らして切断されると、当該電話番号が登録される。このため、当該電話番号から、再度電話が着信すると、パスワードを要求し、パスワードが入力されることで接続される。このため、呼出オンの設定回数を知っていれば登録がない電話機からでも電話を着信させることができる。
【００５８】
上記実施形態では、着信制御装置は電話アダプター１００として、電話機１０と別体に形成した。このため、既存の電話機１０に着信制御装置を設置することができる。
【００５９】
なお、本発明に係る着信制御装置を電話機に内蔵して一体とすることができる。この場合、設置に手間がかからず、また省スペース化を図ることができる。
【産業上の利用可能性】
【００６０】
本発明に係る着信制御装置は、詐欺や迷惑電話を有効に防止することができ、産業上の利用が可能である。
【符号の説明】
【００６１】
１０：電話機
２０：交換機
３０：固定電話回線網
４０：固定電話
５０：携帯電話回線網
６０：携帯電話
１００：電話アダプター（着信制御装置）
１１０  電話接続・切断制御部
１２０：番号格納部
１３０：パスワード格納部
１４０：呼出音信号計数部
１５０：番号書込制御部
１６０：パスワード要求部
１７０：パスワード照合手段
１８０：メッセージ格納部
【図１】
2020145569.tif 000003
【図２】
2020145569.tif 000004
【図３】
2020145569.tif 000005